【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
真空遮断器であって、
電気接点を有する電極組立体と、
前記電極組立体の周りに配置された電気絶縁材料を有する絶縁体と、
前記絶縁体と前記電極組立体との間に配置され、前記電極組立体の前記電気接点から発生するアークプラズマが前記絶縁体の表面の少なくとも一部へ堆積することを妨げる、シールドであって、前記シールドが、前記シールドを前記絶縁体と同心に配置する第１の要素と、前記絶縁体から離れて延びる第２の要素と、前記第２の要素に向かって延びるのではなく前記絶縁体に向かって延び、前記シールドの先端部を備える終端の要素と、を備え、
前記第１の要素と前記終端の要素との間の軸方向距離が、前記第１の要素と前記第２の要素との間の軸方向距離よりも大きく、
前記電極組立体の長手方向軸に対して直角で、長手方向軸を通って延びる直線が、前記シールドの先端部を通って延び、前記シールドの断面内で、前記シールドと２箇所でのみ交差する、
真空遮断器。
【請求項２】
電気接点を有する第２の電極組立体を更に備え、前記第２の電極組立体が、他の電極組立体に関して共通の長手方向軸上に配置され、前記共通の長手方向軸に沿って、前記他の電極組立体に向かって、また、前記他の電極組立体から離れるように動く、
請求項１に記載の真空遮断器。
【請求項３】
前記電極組立体のうちの少なくとも一つが、接点裏板と、管状コイル導体と、を更に備え、前記接点裏板が、前記電気接点と前記管状コイル導体との間に配列され、前記管状コイル導体の直径の外側で、軸方向に延びる、
請求項２に記載の真空遮断器。
【請求項４】
前記先端部が、前記電極組立体の長手方向軸に関して約９０度の角度で配置されている、
請求項１に記載の真空遮断器。
【請求項５】
前記シールドが、前記絶縁体から離れて延びる２つの第２の要素と、前記絶縁体に向かって延びる２つの第３の要素と、を備え、前記第３の要素の各々が、前記シールドの先端部を備える、
請求項１に記載の真空遮断器。
【請求項６】
前記電極組立体が、接点裏板と、管状コイル導体と、を更に備え、前記電極組立体の前記接点裏板が、前記電気接点と前記管状コイル導体との間に配置され、前記管状コイル導体の直径の外側で軸方向に延びる、
請求項１に記載の真空遮断器。
【請求項７】
前記接点裏板が、前記真空遮断器の電気的ストレスを減らすように構成されている、
請求項６に記載の真空遮断器。
【請求項８】
前記接点裏板が、ステンレス鋼製である、
請求項６に記載の真空遮断器。
【請求項９】
前記接点裏板が、前記管状コイル導体の突出し部を受容するノッチを備える、
請求項６に記載の真空遮断器。
【請求項１０】
前記真空遮断器が、真空漏電遮断器である、
請求項１に記載の真空遮断器。
【請求項１１】
前記真空遮断器が、給電ラインのセクションを切り離すように構成されている真空スイッチである、
請求項１に記載の真空遮断器。
【請求項１２】
前記真空遮断器が、負荷電流のスイッチ用の真空スイッチである、
請求項１に記載の真空遮断器。
【請求項１３】
前記真空遮断器が、コンデンサバンクのスイッチ用の真空スイッチである、
請求項１に記載の真空遮断器。
【請求項１４】
真空遮断器のシールドであって、
細長い要素を備え、前記細長い要素が、１点に集まる２つの部分を備え、前記部分の各々が、真空漏電遮断器の絶縁体から離れて延びる第１の要素と、前記第１の要素に隣接して配置され、前記絶縁体に向かって延びる終端の要素と、を備え、前記部分の各々の前記終端の要素が、それぞれ、前記部分の前記第１の要素に向かって延びるのではなく前記部分の各々の先端部を備え、
前記１点と前記終端の要素との間の軸方向距離が、前記１点と前記第１の要素との間の軸方向距離よりも大きく、
前記細長い要素が、前記真空遮断器の電極組立体の接点から発生するアークプラズマが前記絶縁体の表面の少なくとも一部の上に堆積することを妨げ、
前記電極組立体の長手方向軸に対して直角で、長手方向軸を通って延びる直線が、前記シールドの先端部を通って延び、前記シールドの断面内で、前記シールドと２箇所でのみ交差する、
真空遮断器のシールド。
【請求項１５】
前記部分の各々の前記先端部が、前記シールドの長手方向軸に関して約９０度の角度に配置されている、
請求項１４に記載のシールド。
【請求項１６】
請求項１５のシールドを備える、真空遮断器。
【請求項１７】
請求項１５のシールドを備える、真空漏電遮断器。
【請求項１８】
電力送電システムであって、
電力を少なくとも１の客先に供給する給電ラインと、
給電ラインに結合され、給電ラインの漏電を遮断するスイッチギヤーと、を備え、
前記スイッチギヤーが、真空遮断器を備え、
前記真空遮断器が、
電気接点を備える電極組立体と、
前記電極組立体の周りに配置された電気絶縁材料を備える絶縁体と、
前記絶縁体と前記電極組立体との間に配置され、前記電極組立体の電気接点から発生するアークプラズマが前記絶縁体の表面の少なくとも一部の上に堆積することを防止するシールドと、を備え、前記シールドが、
前記シールドを前記絶縁体に対して同心に配置された第１の要素と、前記絶縁体から離れるように延びる第２の要素と、前記第２の要素に向かって延びるのではなく前記絶縁体に向かって延び、前記シールドの先端部を備える終端の要素と、を備え、
前記第１の要素と前記終端の要素との間の軸方向距離が、前記第１の要素と前記第２の要素との間の軸方向距離よりも大きく、前記先端部が、前記第２の要素に向かって延びているのではなく、
前記電極組立体の長手方向軸に対して直角で、長手方向軸を通って延びる直線が、前記シールドの先端部を通って延び、前記シールドの断面内で、前記シールドと２箇所でのみ交差する、
電力送電システム。
【請求項１９】
前記真空遮断器が、電気接点を備える第２の電極組立体を更に備え、前記第２の電極組立体が、別の電極組立体に対して共通の長手方向軸上に配置され、前記別の電極組立体見向かって、また、前記別の電極組立体から離れるように動く、
請求項１８に記載の電力送電システム。
【請求項２０】
前記電極組立体のうちの少なくとも１つが、接点裏板と、管状コイル導体と、を備え、
前記接点裏板が、前記電気接点と前記管状コイル導体との間に配置され、前記管状コイル導体の直径の外側で、軸方向に延びる、
請求項１９に記載の電力送電システム。
【請求項２１】
前記電極組立体が、接点裏板と管状コイル導体とを更に備え、前記電極組立体の前記電気接点が、前記電気接点と前記管状コイル導体との間に配置され、前記管状コイル導体の直径の外側で、軸方向に延びる、
請求項１８に記載の電力送電システム。
【請求項２２】
電力を給電ラインへ供給するサブステーションを更に備える、
請求項１８に記載の電力送電システム。
【請求項２３】
真空遮断器の接点裏板であって、
真空遮断器の電極組立体の電気接点と前記電極組立体のコイル導体との間に配置された部品を備え、前記部品が、前記コイル導体の直径の外側で、軸方向に延びる、
真空遮断器の接点裏板。
【請求項２４】
前記部品がステンレス鋼製である、請求項２３に記載の接点裏板。
【請求項２５】
前記部品が、前記コイル導体の突出し部を受容するノッチを備える、請求項２３に記載の接点裏板。
【請求項２６】
前記部品が、前記電気接点の外径と等しい直径を有する、請求項２３に記載の接点裏板。
【請求項２７】
前記コイル導体の直径の外側で軸方向に延びる前記部品の一部が、凸に湾曲した形状を有する、請求項２３に記載の接点裏板。
【請求項２８】
前記接点裏板が、前記真空遮断器の電気的ストレスを低減する、請求項２３に記載の接点裏板。
【請求項２９】
前記真空遮断器が、真空漏電遮断器である、請求項２３に記載の接点裏板。
【請求項３０】
真空遮断器の接点裏板であって、
真空遮断器の電極組立体の電気接点と電極組立体のコイル導体との間に部品を備え、前記部品が、前記コイル導体の直径の外側で軸方向に延び、前記部品が、前記コイル導体の突出し部を受容するノッチを備える、
真空遮断器の接点裏板。
【請求項３１】
前記部品がステンレス鋼製である、請求項３０に記載の接点裏板。
【請求項３２】
前記部品が、前記電気接点の外径と等しい直径を有する、請求項３０に記載の接点裏板。
【請求項３３】
前記コイル導体の直径の外側で軸方向に延びる前記部品の一部が、凸に湾曲した形状を有する、請求項３０に記載の接点裏板。
【請求項３４】
前記接点裏板が、前記真空遮断器の電気的ストレスを低減する、請求項３０に記載の接点裏板。
【請求項３５】
前記真空遮断器が、真空漏電遮断器である、請求項３０に記載の接点裏板。
【請求項３６】
真空遮断器であって、
電気接点と、
コイル導体と、
前記電気接点と前記コイル導体との間に配置されたステンレス鋼製の接点裏板であって、前記接点裏板が、前記コイル導体の直径の外側で軸方向に延びる接点裏板と、
を備える、真空遮断器。
【請求項３７】
前記接点裏板が、前記コイル導体の突出し部を受容するノッチを備える、請求項３６に記載の真空遮断器。
【請求項３８】
前記接点裏板が、前記電気接点の外径と等しい直径を有する、請求項３６に記載の真空遮断器。
【請求項３９】
前記コイル導体の直径の外側で軸方向に延びる前記接点裏板の一部が、凸に湾曲した形状を有する、請求項３６に記載の真空遮断器。
【請求項４０】
前記接点裏板が、前記真空遮断器の電気的ストレスを低減する、請求項３６に記載の真空遮断器。
【請求項４１】
前記真空遮断器が、真空漏電遮断器である、請求項３６に記載の真空遮断器。